(57)【特許請求の範囲】
【請求項１】
ワンタッチキー、通信中止キーを備える通信装置において、
前記ワンタッチキーの操作で送信予約した後、前記通信中止キーの操作の後、ワンタッチキーを操作すると、通信ジョブの宛先が複数予約されている場合、指定されたワンタッチ宛先についての通信のみを消去することを特徴とする通信装置。
【発明の詳細な説明】
【０００１】
【発明の属する技術分野】
この発明は、ファクシミリ装置、複写機能・ファックス機能等の多機能を有する複合機、インターネットファクシミリ装置等の通信装置に関する。
【０００２】
【従来の技術】
ファクシミリ装置において、予め通信の宛先を指定し、データを入力しておき、通信予約することが可能である。これらの通信予約は複数の宛先にわたり可能である。この種の通信予約は、通信中止キーを操作して通信を中止（キャンセル）することができる。
【０００３】
【発明が解決しようとする課題】
上記した従来のファクシミリ装置の通信中止は、通信中止キーを操作しても、通信の手順で正常終了させるため、通信中止を受け付けてから、つまり通信中止キーを操作してからしばらくしないと通信が停止しない時があるという問題があった。特に、複数の通信予約がなされているときに、取り消したい特定の通信予約を複数の中から選択するのに時間を要していた。
【０００４】
この発明は上記問題点に着目してなされたものであって、複数の通信予約がなされている場合でも、取り消したい特定の通信予約を即選択し、通信中止を実行できる通信装置を提供することを目的としている。
【０００５】
【課題を解決するための手段】
この発明の通信装置は、ワンタッチキー、通信中止キーを備える通信装置において、前記ワンタッチキーの操作で送信予約した後、前記通信中止キーの操作の後、ワンタッチキーを操作すると、通信ジョブの宛先が複数予約されている場合、指定されたワンタッチ宛先についての通信のみを消去することとしている。
【０００６】
この発明の通信装置では、ワンタッチキーで指定されたワンタッチ宛先についての通信のみが消去されるので、簡単な操作で即、通信中止を実行できる。
【０００７】
【発明の実施の形態】
以下、実施の形態により、この発明を更に詳細に説明する。図１に、この発明の実施形態通信装置全体の概略構成を示すブロック図を示す。
【０００８】
この通信装置は、ファクシミリ機能とコピー機能とを備えたいわゆる複合機として構成したもので、主制御部１と、ＮＣＵ（網制御回路：Network Control Unit）２と、ＭＯＤＥＭ３と、ＲＯＭ４と、ＲＡＭ５と、画像メモリ６と、表示部７と、操作部８と、画像読取部９と、画像記録部１０と、ＣＯＤＥＣ（符号化・復号器：Coder and Decoder ）１１と、原稿セット検出器１２とを備える。
【０００９】
主制御部（ＣＰＵ）１は、この装置を構成する各部を制御する機能を有する。ＮＣＵ２は、通信回線である電話回線網（ＰＳＴＮ）１３との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１０】
ＲＯＭ４は、この装置を制御するためのプログラムを記憶する。ＲＡＭ５は、データ等を一時的に記憶する。このＲＡＭ５には、全ての通信予約案件について、各案件毎に、相手先情報と送信予定時刻とを含む送信情報を記憶する通信予約テーブル（通信予約状況記憶部）５ａ、ワンタッチキーに対応した相手先情報等を説明するワンタッチテーブル５ｂを備えている。画像メモリ６は、受信画像データや画像読取部９で読み取った画像データを一時的に記憶する。表示部（ＬＣＤ）７は、通信予約テーブル５ａの内容などを表示することができる。操作部８は、複数個のワンタッチキー８ａ、実行中又は予約中の送信を中止させるための通信中止キー８ｂ、更に図示していないが、テンキー、スタートキー、モード切替キー、その他のキーを有する。画像読取部９は、ＦＡＸ送信するときにあるいはコピーするときに、原稿の画像データを光学的に走査して読み取る。画像記録部１０は、電子写真方式のプリンタよりなり、受信画像データやコピー動作において画像読取部９で読み取った原稿の画像データを記録紙上に記録する。ＣＯＤＥＣ１１は、読み取った画像データを送信するためにＭＨ、ＭＲ、ＭＭＲ方式等により符号化（エンコード）し、受信画像データを復号（デコード）する。原稿セット検出器１２は、画像読取部９の所定の位置に原稿がセットされたときに、これを検出し、検出信号を出力する。
【００１１】
次に、この実施形態通信装置（複合機）において、通信予約のキャンセル処理について、図２に示すフロー図を参照して説明する。
【００１２】
先ず、ステップＳＴ１においては、ワンタッチキー８ａにて、そのワンタッチキー８ａに対応する相手先へ送信する通信予約が行われる。この予約内容は、通信予約テーブル５ａに格納されている。次に、ステップＳＴ２へ移行する。ステップＳＴ２においては、通信中止キー８ｂの受け付けを行う。この通信中止キー８ｂの受け付けは、操作者が操作部８の通信中止キー８ｂを操作することによって行うことができる。続いて、ステップＳＴ３へ移行する。
【００１３】
ステップＳＴ３においては、通信中止につき、通信ジョブが選択されたか否か判定する。通信ジョブが選択されていないと、ステップＳＴ４へ移行する。一方、通信ジョブが選択されていると、ステップＳＴ８へ移行する。ステップＳＴ８においては、選択されたジョブをキャンセルし、処理を終了する。
【００１４】
ステップＳＴ４においては、ワンタッチキー８ａが押下されたか否か判定する。操作者がワンタッチキー８ａを押下していると、このステップＳＴ４の判定ＹＥＳで、ワンタッチキー８ａに関連して、対応する相手先の通信予約を中止するために、次に、ステップＳＴ５へ移行する。一方、ワンタッチキー８ａが押下されていない場合は、ステップＳＴ３へ戻り、その後、通信ジョブが選択となるか、あるいはワンタッチキー８ａの押下があるまで、ステップＳＴ３、ＳＴ４の処理を繰り返す。ステップＳＴ５においては、操作者によって操作され、指定されたワンタッチキーの登録されているジョブを通信予約テーブル５ａから検索する。続いて、ステップＳＴ６へ移行する。
【００１５】
ステップＳＴ６においては、ステップＳＴ５における検索で、検索結果より該当ジョブ有りか否か判定する。検索の結果、該当ジョブが無い場合、ステップＳＴ３へ戻る。一方、該当ジョブが有りであれば、ステップＳＴ７へ移行する。ステップＳＴ７においては、通信ジョブに登録されているワンタッチ宛先をキャンセルする。そして、処理を終了する。なお、指定されたワンタッチキー８ａに関連して、複数の予約がなされている場合は、例えば最も時間が現在に近い通信ジョブをキャンセルする。これは逆に、最も古い通信ジョブをキャンセルするようにしても良い。
【００１６】
次に、図３に示すフロー図を参照して、この発明の実施形態通信装置の他の例を説明する。ステップＳＴ１１においては、ワンタッチキー８ａにて、そのワンタッチキー８ａに対応する相手先へ送信するための通信予約がなされる。この通信予約は、操作者が送信相手先に対応するワンタッチキー８ａを操作することによって行うことができる。次に、ステップＳＴ１２へ移行する。ステップＳＴ１２においては、操作者が操作部８のワンタッチキー８ａを押下する。このワンタッチキー８ａの押下は、相手先を選択するために行われる。次に、ステップＳＴ１３へ移行する。
【００１７】
ステップＳＴ１３においては、画像読取部９の原稿セット部の原稿セット検出器１２の検出信号により、原稿無しか否かを判定する。原稿検出信号がＯＮ（原稿有り）の場合は、ステップＳＴ１６へ移行する。一方、原稿検出信号がＯＦＦ（原稿無し）の場合は、ステップＳＴ１４へ移行する。ステップＳＴ１６においては、原稿有りで読み取った原稿をワンタッチ送信を行う。そして、処理を終了する。
【００１８】
ステップＳＴ１４においては、続けて通信中止キー８ｂが押下されているか否か判定する。通信中止キー８ｂが押下でない場合は、ステップＳＴ１６へ移行し、そのままワンタッチキー送信を実行する。一方、通信中止キー８ｂが押下されている場合は、ステップＳＴ１５へ移行する。ステップＳＴ１５においては、ワンタッチキー８ａの操作で特定された相手先の予約されている通信をジョブキャンセルする。そして、処理を終了する。
【００１９】
【発明の効果】
この発明によれば、ワンタッチキーの操作で送信予約した後、前記通信中止キーの操作の後、ワンタッチキーを操作すると、通信ジョブの宛先が複数予約されている場合、指定されたワンタッチ宛先についての通信のみを消去するので、停止ジョブをワンタッチキーによる宛先で選択でき、簡単な操作で即、通信中止を実行できる。
【図面の簡単な説明】
【図１】この発明の一実施形態である通信装置の構成を示すブロック図である。
【図２】同実施形態通信装置の通信ジョブのキャンセル処理を説明するフロー図である。
【図３】同実施形態通信装置の他のキャンセル処理を説明するフロー図である。
【符号の説明】
１        主制御部（ＣＰＵ）
２        ＮＣＵ
３        ＭＯＤＥＭ
４        ＲＯＭ
５        ＲＡＭ
５ａ      通信予約テーブル
５ｂ      ワンタッチテーブル
６        画像メモリ
７        表示部
８        操作部
８ａ      ワンタッチキー
８ｂ      通信中止キー
９        画像読取部
１０      画像記録部
１１      ＣＯＤＥＣ
１２      原稿セット検出器
【図１】
0003697534.tif 000002
【図２】
0003697534.tif 000003
【図３】
0003697534.tif 000004